【手続補正書】
【提出日】平成17年5月27日(2005.5.27)
【手続補正１】
【補正対象書類名】特許請求の範囲
【補正対象項目名】全文
【補正方法】変更
【補正の内容】
【特許請求の範囲】
【請求項１】
クレイ及びＣ４乃至Ｃ７イソオレフィン由来のユニットを含むハロゲン化エラストマーを含むナノ複合物であって、
当該ハロゲン化エラストマーは、エラストマーＥに吊り下がった以下の官能基で表わされるアミン官能基化モノマーユニットをさらに含み、
【化１】
2004530034.tif 000001
ここで、Ｒ及びＲ１は、同一でも異なっても良く、水素、Ｃ１乃至Ｃ７のアルキル、及び一級又は二級ハロゲン化アルキルの１であり；Ｒ２、Ｒ３、及びＲ４は、同一でも異なっても良く、Ｃ１乃至Ｃ２０のアルケン、Ｃ１乃至Ｃ２０の脂肪族アルコール、Ｃ１乃至Ｃ２０の脂肪族エーテル、Ｃ１乃至Ｃ２０のカルボン酸、ニトリル、エトキシル化アミン、アクリル酸、エステル、及びアンモニウムイオンから選択される、
当該ナノ複合物。
【請求項２】
前記ハロゲン化エラストマーが、Ｃ４乃至Ｃ７イソオレフィン由来のユニット、パラ−メチルスチレン由来のユニット、及びパラ−（ハロメチルスチレン）由来のユニットを含む、請求項１に記載のナノ複合物。
【請求項３】
前記ハロゲン化エラストマーが、Ｃ４乃至Ｃ７イソオレフィン由来のユニット、マルチオレフィン由来のユニット、及びハロゲン化マルチオレフィン由来のユニットを含む、請求項１に記載のナノ複合物。
【請求項４】
前記Ｒ２、Ｒ３、及びＲ４の少なくとも１がエトキシル化アミンである、請求項１に記載のナノ複合物。
【請求項５】
前記Ｒ２、Ｒ３、及びＲ４の少なくとも１が、Ｃ１乃至Ｃ２０の脂肪族アルコール又はエーテル、Ｃ１乃至Ｃ２０のカルボン酸、ニトリル、エステル、アンモニウムイオン、又は以下の化学式によって表わされるアクリル酸基から選択され、
【化２】
2004530034.tif 000002
ここで、Ｒ５、Ｒ６、及びＲ７は、同一でも異なっても良く、水素及びＣ１乃至Ｃ７のアルキル又はアルケニルの１つである、
請求項１に記載のナノ複合物。
【請求項６】
前記アミン官能基が、以下の構造を有するエトキシル化アミンから選択され、
【化３】
2004530034.tif 000003
ここで、Ｒ８はＣ１乃至Ｃ２０のアルキルであり、ｘ＋ｙは２、５、１０、１５、又は５０である、
請求項１に記載のナノ複合物。
【請求項７】
前記アミン官能基が、ジアリルアミン、アクリル酸ジメチルアミノエチル、アクリル酸ジメチルアミノメチル、Ｎ−メチルアミノ−ビス−２−プロパノール、Ｎ−エチルアミノ−ビス−２−プロパノール、メタクリル酸ジメチルアミノエチル、ジエチルアミノプロパノール、ジエチルエタノールアミン、ジメチルアミノ−１−プロパノール、トリプロパノールアミン、トリエタノールアミン、アミノラウリン酸、及びベタイン、及びそれらの組合せから選択される、請求項１に記載のナノ複合物。
【請求項８】
前記官能基化アミン由来のユニットが、前記ナノ複合物の０．０１重量％乃至１０重量％で前記ハロゲン化エラストマー中に存在する、請求項１に記載のナノ複合物。
【請求項９】
前記クレイが剥離クレイである、請求項１に記載のナノ複合物。
【請求項１０】
剥離剤が、アンモニウムイオン、アルキルアミン、（一級、二級、三級、及び四級の）アルキルアンモニウムイオン、脂肪族、芳香族、又はアリール脂肪族アミンのホスホニウム又はスルホニウム誘導体、ホスフィン、及びスルフィド、及びそれらのブレンドから選択される、請求項８に記載のナノ複合物。
【請求項１１】
前記クレイが、前記ナノ複合物の０．１重量％乃至５０重量％で存在する、請求項１に記載のナノ複合物。
【請求項１２】
前記クレイが、前記ナノ複合物の０．５重量％乃至３０重量％で存在する、請求項１に記載のナノ複合物。
【請求項１３】
前記クレイが、前記ナノ複合物の１重量％乃至１０重量％で当該ナノ複合物中に存在する、請求項１に記載のナノ複合物。
【請求項１４】
Ｚ−−Ｒ１７−−Ｚ’の化学式で表わされる構造から選択される多官能性硬化剤をさらに含み、
ここで、Ｒ１７は、Ｃ１乃至Ｃ１５のアルキル、Ｃ２乃至Ｃ１５のアルケニル、及び、置換又は未置換のＣ６乃至Ｃ１２環状芳香族単位の１つであり、
ＺとＺ’は、同一でも異なってもよく、チオ硫酸基、メルカプト基、アルデヒド基、カルボン酸基、ペルオキシド基、アルケニル基、又は、反応基（例えば、不飽和）を有するポリマーの１以上のストランドを分子間或いは分子内で架橋することができるその他の同様な官能基の１つである、
請求項１に記載のナノ複合物。
【請求項１５】
カーボンブラック、修飾カーボンブラック、シリカ、沈降シリカ、及びそれらのブレンドから選択される充填剤をさらに含む、請求項１に記載のナノ複合物。
【請求項１６】
硬化剤をさらに含む、請求項１に記載のナノ複合物。
【請求項１７】
前記硬化剤が、亜鉛、ステアリン酸亜鉛、脂肪酸、硫黄、又はそれらの混合物を含む、請求項１６に記載のナノ複合物。
【請求項１８】
天然ゴム、ポリブタジエンゴム、ニトリルゴム、シリコンゴム、ポリイソプレンゴム、ポリ（スチレン−ブタジエンゴム）、ポリ（イソプレン−ブタジエンゴム）、スチレン−イソプレン−ブタジエンゴム、エチレン−プロピレンゴム、臭素化ブチルゴム、塩素化ブチルゴム、ハロゲン化イソプレン、ハロゲン化イソブチレンコポリマー、ポリクロロプレン、星状分枝ポリイソブチレンゴム、星状分枝臭素化ブチルゴム、ポリ（イソブチレン−イソプレン）ゴム、ハロゲン化ポリ（イソブチレン−ｐ−メチルスチレン）、及びそれらの混合物から選択される副次ゴムをさらに含む、請求項１に記載のナノ複合物。
【請求項１９】
前記ハロゲン化マルチオレフィンユニットが、当該ハロゲン化マルチオレフィンユニットの少なくとも２０モル％まで存在する一級アリルハロゲン化ユニットである、請求項６１に記載のナノ複合物。
【請求項２０】
請求項１に記載のナノ複合物を含む、タイヤ用インナーライナー。
【請求項２１】
請求項１に記載のナノ複合物を含む、インナーチューブ。
【請求項２２】
クレイ、Ｃ４乃至Ｃ７イソオレフィン由来のユニットを含むハロゲン化エラストマー、及び官能基化アミンを含むナノ複合物であって、
当該官能基化アミンは、ＮＲ２Ｒ３Ｒ４の化学式で表わされ、ここで、Ｒ２、Ｒ３、及びＲ４は同一でも異なっても良く、Ｃ１乃至Ｃ２０のアルケン、Ｃ１乃至Ｃ２０の脂肪族アルコール、Ｃ１乃至Ｃ２０の脂肪族エーテル、Ｃ１乃至Ｃ２０のカルボン酸、ニトリル、エトキシル化アミン、アクリル酸、エステル、及びアンモニウムイオンから選択される、
当該ナノ複合物。
【請求項２３】
前記ハロゲン化エラストマーが、Ｃ４乃至Ｃ７イソオレフィン由来のユニット、パラ−メチルスチレン由来のユニット、及びパラ−（ハロメチルスチレン）由来のユニットを含む、請求項２２に記載のナノ複合物。
【請求項２４】
前記ハロゲン化エラストマーが、Ｃ４乃至Ｃ７イソオレフィン由来のユニット、マルチオレフィン由来のユニット、及びハロゲン化マルチオレフィン由来のユニットを含む、請求項２２に記載のナノ複合物。
【請求項２５】
前記Ｒ２、Ｒ３、及びＲ４の少なくとも１がエトキシル化アミンである、請求項２２に記載のナノ複合物。
【請求項２６】
前記Ｒ２、Ｒ３、及びＲ４の少なくとも１が、Ｃ１乃至Ｃ２０の脂肪族アルコール又はエーテル、Ｃ１乃至Ｃ２０のカルボン酸、ニトリル、エステル、アンモニウムイオン、又は以下の化学式によって表わされるアクリル酸基から選択され、
【化４】
2004530034.tif 000004
ここで、Ｒ５、Ｒ６、及びＲ７は、同一でも異なっても良く、水素及びＣ１乃至Ｃ７のアルキル又はアルケニルの１つである、
請求項２２に記載のナノ複合物。
【請求項２７】
前記Ｒ２、Ｒ３、及びＲ４の少なくとも１が、Ｃ１乃至Ｃ２０の脂肪族アルコール又はエーテル、Ｃ１乃至Ｃ２０のカルボン酸、ニトリル、エステル、アンモニウムイオン、又は以下の化学式によって表わされるアクリル酸基から選択され、
【化５】
2004530034.tif 000005
ここで、Ｒ５、Ｒ６、及びＲ７は、同一でも異なっても良く、水素及びＣ１乃至Ｃ７のアルキル又はアルケニルの１つである、
請求項２２に記載のナノ複合物。
【請求項２８】
前記アミン官能基が、以下の構造を有するエトキシル化アミンから選択され、
【化６】
2004530034.tif 000006
ここで、Ｒ８はＣ１乃至Ｃ２０のアルキルであり、ｘ＋ｙは２、５、１０、１５、又は５０である、
請求項２２に記載のナノ複合物。
【請求項２９】
前記アミン官能基が、アクリル酸ジメチルアミノエチル、アクリル酸ジメチルアミノメチル、ジアリルアミン、Ｎ−メチルアミノ−ビス−２−プロパノール、Ｎ−エチルアミノ−ビス−２−プロパノール、メタクリル酸ジメチルアミノエチル、ジエチルアミノプロパノール、ジエチルエタノールアミン、ジメチルアミノ−１−プロパノール、トリプロパノールアミン、トリエタノールアミン、アミノラウリン酸、及びベタイン、及びそれらの組合せから選択される、請求項２２に記載のナノ複合物。
【請求項３０】
前記官能基化アミン由来のユニットが、前記ナノ複合物の０．０１重量％乃至１０重量％で前記ハロゲン化エラストマー中に存在する、請求項２２に記載のナノ複合物。
【請求項３１】
前記クレイが剥離クレイである、請求項２２に記載のナノ複合物。
【請求項３２】
剥離剤が、アンモニウムイオン、アルキルアミン、（一級、二級、三級、及び四級の）アルキルアンモニウムイオン、脂肪族、芳香族、又はアリール脂肪族アミンのホスホニウム又はスルホニウム誘導体、ホスフィン、及びスルフィド、及びそれらのブレンドから選択される、請求項３１に記載のナノ複合物。
【請求項３３】
前記クレイが、前記ナノ複合物の０．１重量％乃至５０重量％で存在する、請求項２２に記載のナノ複合物。
【請求項３４】
前記クレイが、前記ナノ複合物の０．５重量％乃至３０重量％で存在する、請求項２２に記載のナノ複合物。
【請求項３５】
前記クレイが、前記ナノ複合物の１重量％乃至１０重量％で当該ナノ複合物中に存在する、請求項２２に記載のナノ複合物。
【請求項３６】
Ｚ−−Ｒ１７−−Ｚ’の化学式で表わされる構造から選択される多官能性硬化剤をさらに含み、
ここで、Ｒ１７は、Ｃ１乃至Ｃ１５のアルキル、Ｃ２乃至Ｃ１５のアルケニル、及び、置換又は未置換のＣ６乃至Ｃ１２環状芳香族単位の１つであり、
ＺとＺ’は、同一でも異なってもよく、チオ硫酸基、メルカプト基、アルデヒド基、カルボン酸基、ペルオキシド基、アルケニル基、又は、反応基（例えば、不飽和）を有するポリマーの１以上のストランドを分子間或いは分子内で架橋することができるその他の同様な官能基の１つである、
請求項２２に記載のナノ複合物。
【請求項３７】
カーボンブラック、修飾カーボンブラック、シリカ、沈降シリカ、及びそれらのブレンドから選択される充填剤をさらに含む、請求項２２に記載のナノ複合物。
【請求項３８】
硬化剤をさらに含む、請求項２２に記載のナノ複合物。
【請求項３９】
前記硬化剤が、亜鉛、ステアリン酸亜鉛、脂肪酸、硫黄、又はそれらの混合物を含む、請求項３８に記載のナノ複合物。
【請求項４０】
天然ゴム、ポリブタジエンゴム、ニトリルゴム、シリコンゴム、ポリイソプレンゴム、ポリ（スチレン−ブタジエンゴム）、ポリ（イソプレン−ブタジエンゴム）、スチレン−イソプレン−ブタジエンゴム、エチレン−プロピレンゴム、臭素化ブチルゴム、塩素化ブチルゴム、ハロゲン化イソプレン、ハロゲン化イソブチレンコポリマー、ポリクロロプレン、星状分枝ポリイソブチレンゴム、星状分枝臭素化ブチルゴム、ポリ（イソブチレン−イソプレン）ゴム、ハロゲン化ポリ（イソブチレン−ｐ−メチルスチレン）、及びそれらの混合物から選択される副次ゴムをさらに含む、請求項２２に記載のナノ複合物。
【請求項４１】
請求項２２に記載のナノ複合物を含む、インナーチューブ。
【請求項４２】
クレイ及びインターポリマーを含むナノ複合物であって、
当該インターポリマーは、以下の式で表わされる官能基化アミンモノマーユニットを含み、
【化７】
2004530034.tif 000007
ここで、Ｒ１０及びＲ１１は、同一でも異なってもよく、水素原子、Ｃ１乃至Ｃ７アルキル、及び一級又は二級ハロゲン化アルキルの１つであり、
Ｒ２、Ｒ３、及びＲ４は、同一でも異なっても良く、Ｃ１乃至Ｃ２０のアルケン、Ｃ１乃至Ｃ２０の脂肪族アルコール、Ｃ１乃至Ｃ２０の脂肪族エーテル、Ｃ１乃至Ｃ２０のカルボン酸、ニトリル、エトキシル化アミン、アクリル酸、エステル、及びアンモニウムイオンから選択される、
当該ナノ複合物。
【請求項４３】
前記インターポリマーが、Ｃ４乃至Ｃ７イソオレフィン由来のユニット、パラ−メチルスチレン由来のユニット、及びパラ−（ハロメチルスチレン）由来のユニットを含む、請求項４２に記載のナノ複合物。
【請求項４４】
前記Ｒ２、Ｒ３、及びＲ４の少なくとも１がエトキシル化アミンである、請求項４２に記載のナノ複合物。
【請求項４５】
前記Ｒ２、Ｒ３、及びＲ４の少なくとも１が、Ｃ１乃至Ｃ２０の脂肪族アルコール又はエーテル、Ｃ１乃至Ｃ２０のカルボン酸、ニトリル、エステル、アンモニウムイオン、又は以下の化学式によって表わされるアクリル酸基であり、
【化８】
2004530034.tif 000008
ここで、Ｒ５、Ｒ６、及びＲ７は、同一でも異なっても良く、水素及びＣ１乃至Ｃ７のアルキル又はアルケニルの１つである、
請求項４２に記載のナノ複合物。
【請求項４６】
前記アミン官能基が、以下の構造を有するエトキシル化アミンから選択され、
【化９】
2004530034.tif 000009
ここで、Ｒ８はＣ１乃至Ｃ２０のアルキルであり、ｘ＋ｙは２、５、１０、１５、又は５０である、
請求項４２に記載のナノ複合物。
【請求項４７】
前記アミン官能基が、アクリル酸ジメチルアミノエチル、アクリル酸ジメチルアミノメチル、Ｎ−メチルアミノ−ビス−２−プロパノール、ジアリルアミン、Ｎ−エチルアミノ−ビス−２−プロパノール、メタクリル酸ジメチルアミノエチル、ジエチルアミノプロパノール、ジエチルエタノールアミン、ジメチルアミノ−１−プロパノール、トリプロパノールアミン、トリエタノールアミン、アミノラウリン酸、及びベタイン、及びそれらの組合せから選択される、請求項４２に記載のナノ複合物。
【請求項４８】
前記官能基化アミン由来のユニットが、前記ナノ複合物の０．０１重量％乃至１０重量％で前記ハロゲン化エラストマー中に存在する、請求項４２に記載のナノ複合物。
【請求項４９】
前記クレイが剥離クレイである、請求項４２に記載のナノ複合物。
【請求項５０】
剥離剤が、アンモニウムイオン、アルキルアミン、（一級、二級、三級、及び四級の）アルキルアンモニウムイオン、脂肪族、芳香族、又はアリール脂肪族アミンのホスホニウム又はスルホニウム誘導体、ホスフィン、及びスルフィド、及びそれらのブレンドから選択される、請求項４９に記載のナノ複合物。
【請求項５１】
前記クレイが、前記ナノ複合物の０．１重量％乃至５０重量％で存在する、請求項４２に記載のナノ複合物。
【請求項５２】
前記クレイが、前記ナノ複合物の０．５重量％乃至３０重量％で存在する、請求項４２に記載のナノ複合物。
【請求項５３】
前記クレイが、前記ナノ複合物の１重量％乃至１０重量％で存在する、請求項４２に記載のナノ複合物。
【請求項５４】
Ｚ−−Ｒ１７−−Ｚ’の化学式で表わされる構造から選択される多官能性硬化剤をさらに含み、
ここで、Ｒ１７は、Ｃ１乃至Ｃ１５のアルキル、Ｃ２乃至Ｃ１５のアルケニル、及び、置換又は未置換のＣ６乃至Ｃ１２環状芳香族単位の１つであり、
ＺとＺ’は、同一でも異なってもよく、チオ硫酸基、メルカプト基、アルデヒド基、カルボン酸基、ペルオキシド基、アルケニル基、又は、反応基（例えば、不飽和）を有するポリマーの１以上のストランドを分子間或いは分子内で架橋することができるその他の同様な官能基の１つである、
請求項４２に記載のナノ複合物。
【請求項５５】
カーボンブラック、修飾カーボンブラック、シリカ、沈降シリカ、及びそれらのブレンドから選択される充填剤をさらに含む、請求項４２に記載のナノ複合物。
【請求項５６】
硬化剤をさらに含む、請求項４２に記載のナノ複合物。
【請求項５７】
前記硬化剤が、亜鉛、ステアリン酸亜鉛、脂肪酸、硫黄、又はそれらの混合物を含む、請求項５６に記載のナノ複合物。
【請求項５８】
天然ゴム、ポリブタジエンゴム、ニトリルゴム、シリコンゴム、ポリイソプレンゴム、ポリ（スチレン−ブタジエンゴム）、ポリ（イソプレン−ブタジエンゴム）、スチレン−イソプレン−ブタジエンゴム、エチレン−プロピレンゴム、臭素化ブチルゴム、塩素化ブチルゴム、ハロゲン化イソプレン、ハロゲン化イソブチレンコポリマー、ポリクロロプレン、星状分枝ポリイソブチレンゴム、星状分枝臭素化ブチルゴム、ポリ（イソブチレン−イソプレン）ゴム、ハロゲン化ポリ（イソブチレン−ｐ−メチルスチレン）、及びそれらの混合物から選択される副次ゴムをさらに含む、請求項４２に記載のナノ複合物。
【請求項５９】
請求項４２に記載のナノ複合物を含む、インナーライナー。
【請求項６０】
請求項４２に記載のナノ複合物を含む、インナーチューブ。
【請求項６１】
クレイ、Ｃ４乃至Ｃ７イソオレフィン由来のユニットを含むハロゲン化エラストマー、及び官能基化アミンを含むナノ複合物の成形方法であって、
当該官能基化アミンはＮＲ２Ｒ３Ｒ４の化学式で表わされ、ここで、Ｒ２、Ｒ３、及びＲ４は同一でも異なっても良く、Ｃ１乃至Ｃ２０のアルケン、Ｃ１乃至Ｃ２０の脂肪族アルコール、Ｃ１乃至Ｃ２０の脂肪族エーテル、Ｃ１乃至Ｃ２０のカルボン酸、ニトリル、エトキシル化アミン、アクリル酸、エステル、及びアンモニウムイオンから選択される、
当該成形方法。
【請求項６２】
第１の工程において前記エラストマーと官能基化アミンが混合された後に、少なくとも１のクレイとブレンドされる、請求項６１に記載の方法。
【請求項６３】
前記エラストマー、官能基化アミン、及びクレイが１段階のブレンド工程において混合される、請求項６１に記載の方法。
【請求項６４】
前記ハロゲン化エラストマーが、Ｃ４乃至Ｃ７イソオレフィン由来のユニット、パラ−メチルスチレン由来のユニット、及びパラ−（ハロメチルスチレン）由来のユニットを含む、請求項６１に記載の方法。
【請求項６５】
前記ハロゲン化エラストマーが、Ｃ４乃至Ｃ７イソオレフィン由来のユニット、マルチオレフィン由来のユニット、及びハロゲン化マルチオレフィン由来のユニットを含む、請求項６１に記載の方法。
【請求項６６】
前記Ｒ２、Ｒ３、及びＲ４の少なくとも１がエトキシル化アミンである、請求項６１に記載の方法。
【請求項６７】
前記Ｒ２、Ｒ３、及びＲ４の少なくとも１が、Ｃ１乃至Ｃ２０の脂肪族アルコール又はエーテル、Ｃ１乃至Ｃ２０のカルボン酸、ニトリル、エステル、アンモニウムイオン、又は以下の化学式によって表わされるアクリル酸基から選択され、
【化１０】
2004530034.tif 000010
ここで、Ｒ５、Ｒ６、及びＲ７は、同一でも異なっても良く、水素及びＣ１乃至Ｃ７のアルキル又はアルケニルの１つである、
請求項６１に記載の方法。
【請求項６８】
前記アミン官能基が、以下の構造を有するエトキシル化アミンから選択され、
【化１１】
2004530034.tif 000011
ここで、Ｒ８はＣ１乃至Ｃ２０のアルキルであり、ｘ＋ｙは２、５、１０、１５、又は５０である、
請求項６１に記載の方法。
【請求項６９】
前記アミン官能基が、アクリル酸ジメチルアミノエチル、アクリル酸ジメチルアミノメチル、Ｎ−メチルアミノ−ビス−２−プロパノール、ジアリルアミン、Ｎ−エチルアミノ−ビス−２−プロパノール、メタクリル酸ジメチルアミノエチル、ジエチルアミノプロパノール、ジエチルエタノールアミン、ジメチルアミノ−１−プロパノール、トリプロパノールアミン、トリエタノールアミン、アミノラウリン酸、及びベタイン、及びそれらの組合せから選択される、請求項６１に記載の方法。
【請求項７０】
前記官能基化アミン由来のユニットが、前記ナノ複合物の０．０１重量％乃至１０重量％で前記ハロゲン化エラストマー中に存在する、請求項６１に記載の方法。
【請求項７１】
前記クレイが剥離クレイである、請求項６１に記載の方法。
【請求項７２】
剥離剤が、アンモニウムイオン、アルキルアミン、（一級、二級、三級、及び四級の）アルキルアンモニウムイオン、脂肪族、芳香族、又はアリール脂肪族アミンのホスホニウム又はスルホニウム誘導体、ホスフィン、及びスルフィド、及びそれらのブレンドから選択される、請求項６１に記載の方法。
【請求項７３】
前記クレイが、前記複合物の０．１重量％乃至５０重量％で存在する、請求項６１に記載の方法。
【請求項７４】
前記クレイが、前記ナノ複合物の０．５重量％乃至３０重量％で当該ナノ複合物中に存在する、請求項６１に記載の方法。
【請求項７５】
前記クレイが、前記ナノ複合物の１重量％乃至１０重量％で当該ナノ複合物中に存在する、請求項６１に記載の方法。
【請求項７６】
Ｚ−−Ｒ１７−−Ｚ’の化学式で表わされる構造から選択される多官能性硬化剤をさらに含み、
ここで、Ｒ１７は、Ｃ１乃至Ｃ１５のアルキル、Ｃ２乃至Ｃ１５のアルケニル、及び、置換又は未置換のＣ６乃至Ｃ１２環状芳香族単位の１つであり、
ＺとＺ’は、同一でも異なってもよく、チオ硫酸基、メルカプト基、アルデヒド基、カルボン酸基、ペルオキシド基、アルケニル基、又は、反応基（例えば、不飽和）を有するポリマーの１以上のストランドを分子間或いは分子内で架橋することができるその他の同様な官能基の１つである、
請求項６１に記載の方法。
【請求項７７】
カーボンブラック、修飾カーボンブラック、シリカ、沈降シリカ、及びそれらのブレンドから選択される充填剤をさらに含む、請求項６１に記載の方法。
【請求項７８】
硬化剤をさらに含む、請求項６１に記載の方法。
【請求項７９】
前記硬化剤が、亜鉛、ステアリン酸亜鉛、脂肪酸、硫黄、又はそれらの混合物を含む、請求項７８に記載の方法。
【請求項８０】
天然ゴム、ポリブタジエンゴム、ニトリルゴム、シリコンゴム、ポリイソプレンゴム、ポリ（スチレン−ブタジエンゴム）、ポリ（イソプレン−ブタジエンゴム）、スチレン−イソプレン−ブタジエンゴム、エチレン−プロピレンゴム、臭素化ブチルゴム、塩素化ブチルゴム、ハロゲン化イソプレン、ハロゲン化イソブチレンコポリマー、ポリクロロプレン、星状分枝ポリイソブチレンゴム、星状分枝臭素化ブチルゴム、ポリ（イソブチレン−イソプレン）ゴム、ハロゲン化ポリ（イソブチレン−ｐ−メチルスチレン）、及びそれらの混合物から選択される副次ゴムをさらに含む、請求項６１に記載の方法。
【請求項８１】
前記ハロゲン化マルチオレフィンユニットが、当該ハロゲン化マルチオレフィンユニットの少なくとも２０モル％まで存在する一級アリルハロゲン化ユニットである、請求項６１に記載のナノ複合物。
【請求項８２】
請求項６１に記載の方法により製造されたインナーライナー。
【請求項８３】
請求項６１に記載の方法により製造されたインナーチューブ。